(57)【要約】【課題】  起動時又は圏外から圏内に戻ったときに専用チャネル通信に自動参入できる、または、専用チャネル通信中の別の通信の呼出に応答できる移動局装置及び無線通信システムを提供する。【解決手段】  時分割多元接続方式により、複数のスロットを通信チャネルと制御チャネルに割り当て、通信チャネルの中から、専用チャネルを指定する通信方式を用い、起動時又は通信圏外から通信圏内に入ると、専用チャネル通信があるか否かを判定し、専用チャネル通信がある場合には当該専用チャネル通信に参入する移動局装置及び無線通信システムである。【選択図】        図４
2020198486.tif 000002
【特許請求の範囲】
【請求項１】
専用チャネル通信のスロットを含む時分割多元接続方式を用いる移動局装置であって、
起動時又は通信圏外から通信圏内に入ると、前記専用チャネル通信があるか否かを判定し、前記専用チャネル通信がある場合には当該専用チャネル通信に参入することを特徴とする移動局装置。
【請求項２】
専用チャネル通信のスロットを含む時分割多元接続方式を用いる移動局装置であって、
前記専用チャネル通信から操作によって離脱した場合に、当該専用チャネル通信に再参入するタイマーのカウントをスタートし、当該タイマーのカウントが満了したときに、前記専用チャネル通信があるか否かを判定し、前記専用チャネル通信がある場合に、当該専用チャネル通信に参入することを特徴とする移動局装置。
【請求項３】
専用チャネル通信を識別する専用チャネル通信識別番号を記憶しており、専用チャネル通信識別番号を含むシステム拡張情報を受信した場合に、前記記憶している専用チャネル通信識別番号と前記システム拡張情報に含まれる専用チャネル通信識別番号とが一致するときに、専用チャネル通信があると判定することを特徴とする請求項１又は２記載の移動局装置。
【請求項４】
専用チャネル通信中に、制御チャネルからの専用チャネル通信以外の通信の呼出を検出し、当該専用チャネル通信以外の通信に参入することを特徴とする請求項１乃至３のいずれか記載の移動局装置。
【請求項５】
時分割多元接続方式の無線通信システムであって、
請求項１乃至４のいずれか記載の移動局装置と、前記移動局装置と無線接続を行う基地局とを備え、
前記基地局装置は、専用チャネル通信を識別する専用チャネル通信識別番号を含むシステム拡張情報を前記移動局装置に送信し、
前記移動局装置は、前記基地局装置から受信した前記システム拡張情報に基づいて、専用チャネル通信に参入することを特徴とする無線通信システム。
【発明の詳細な説明】
【技術分野】
【０００１】
本発明は、統制局装置と移動局装置を有する時分割多元接続方式の無線通信システムに係り、特に、移動局装置が専用チャネル通信に自動参入でき、専用チャネル通信中に別の通信の呼出に応答できる移動局装置及び無線通信システムに関する。
【背景技術】
【０００２】
［従来の技術］
従来の無線通信システムは、時分割多元接続方式を用いたデジタル無線通信を、特に防災行政無線システムに適用したものであり、時分割多重方式で複数のスロットに時分割されるものである。
【０００３】
分割された複数のスロットを通信用チャネルと制御用チャネルとして割り付け、複数のスロットからなる通信用チャネルの内、専用チャネルとしてチャネル指定し、例えば、災害時などの緊急指令等の特定用途のため専用的に用いられるよう割り当てられるものである。
【０００４】
特に、ＡＲＩＢ  ＳＴＤ−Ｔ７９「都道府県・市町村デジタル移動通信システム」で示されている専用チャネルを主にして業務連絡をしている運用において、これまではユーザが起動時に専用チャネルに切り替えている。
【０００５】
［従来の専用チャネルのスロット配置例：図６］
従来の専用チャネルのスロット配置例について図６を参照しながら説明する。図６は、従来の専用チャネルのスロット配置例を示す概略図である。
従来の専用チャネルのスロットは、図６に示すように、１フレームが４０ｍｓで、１０ｍｓのスロットが０〜３番に配置される。
【０００６】
制御キャリアの送信（上り）フレームの０番のスロットに専用チャネル通信（１）が、１番のスロットに通常チャネルが、２番のスロットに専用チャネル通信（２）が、３番のスロットに制御チャネル（Ｃch）が配置される。
制御キャリアの受信（下り）フレームの０番のスロットに専用チャネル通信（２）が、１番のスロットに制御チャネル（Ｃch）が、２番のスロットに専用チャネル通信（１）が、３番のスロットに通常チャネルが配置される。
【０００７】
そして、移動局装置では、専用チャネル（１）で送受信を行う場合には、スロット０で送信し、スロット２で受信を行い、専用チャネル（２）で送受信を行う場合には、スロット０で受信を行い、スロット２で送信を行うようになっている。
また、移動局装置で制御チャネル（Ｃch）を送受信する場合は、待ち受け状態になってから、スロット１で受信を行い、スロット３で送信を行うようになっている。
【０００８】
［関連技術］
尚、関連する先行技術として、特許第５４１５７７５号公報「専用チャネル参入方法」（特許文献１）がある。
特許文献１には、専用チャネル通信の一般的な動作に加えて、移動局が統制局から受信した通知情報に基づいて専用チャネル通信へ自動で切り替えることが示されている。
【先行技術文献】
【特許文献】
【０００９】
【特許文献１】特許第５４１５７７５号公報
【発明の概要】
【発明が解決しようとする課題】
【００１０】
しかしながら、上記従来の無線通信システムでは、移動局が圏外等になると、専用チャネル通信から抜けてしまい、ユーザが再設定するまで連絡できない状態になってしまい、専用チャネル通信に自動参入できないという問題点があった。
【００１１】
また、専用チャネル通信している特定のユーザに対して別の通信チャネルで呼び出したい場合は、まず、専用チャネルの音声で呼び掛けて、各ユーザが専用チャネルを抜けてから別の通信チャネルで通話を掛ける必要があり、操作が繁雑であるとの問題点があった。
【００１２】
尚、特許文献１には、統制局からの通知情報に基づいて専用チャネル通信に自動参入することは記載されているが、専用チャネル通信へ追加で引込みたい移動局を統制局側で指定しなければいけない。つまり、移動局が、起動した時又は圏外から圏内に戻った時、統制局側でその移動局を指定する操作がその都度必要となる。よって、特許文献１の技術においても、統制局側の操作が繁雑となる問題点がある。
【００１３】
本発明は上記実情に鑑みて為されたもので、起動時又は圏外から圏内に戻ったときに、繁雑な操作がなくても専用チャネル通信に自動参入できる移動局装置及び無線通信システムを提供することを目的とする。また、専用チャネル通信中の別の通信の呼出に応答できる移動局装置及び無線通信システムを提供することを目的とする。
【課題を解決するための手段】
【００１４】
上記従来例の問題点を解決するための本発明は、専用チャネル通信のスロットを含む時分割多元接続方式を用いる移動局装置であって、起動時又は通信圏外から通信圏内に入ると、専用チャネル通信があるか否かを判定し、専用チャネル通信がある場合には当該専用チャネル通信に参入することを特徴とする。
【００１５】
本発明は、専用チャネル通信のスロットを含む時分割多元接続方式を用いる移動局装置であって、専用チャネル通信から操作によって離脱した場合に、当該専用チャネル通信に再参入するタイマーのカウントをスタートし、当該タイマーのカウントが満了したときに、専用チャネル通信があるか否かを判定し、専用チャネル通信がある場合に、当該専用チャネル通信に参入することを特徴とする。
【００１６】
本発明は、上記移動局装置において、専用チャネル通信を識別する専用チャネル通信識別番号を記憶しており、専用チャネル通信識別番号を含むシステム拡張情報を受信した場合に、記憶している専用チャネル通信識別番号とシステム拡張情報に含まれる専用チャネル通信識別番号とが一致するときに、専用チャネル通信があると判定することを特徴とする。
【００１７】
本発明は、上記移動局装置において、専用チャネル通信中に、制御チャネルからの専用チャネル通信以外の通信の呼出を検出し、当該専用チャネル通信以外の通信に参入することを特徴とする。
【００１８】
本発明は、時分割多元接続方式の無線通信システムであって、上記移動局装置と、移動局装置と無線接続を行う基地局とを備え、基地局装置が、専用チャネル通信を識別する専用チャネル通信識別番号を含むシステム拡張情報を移動局装置に送信し、移動局装置が、基地局装置から受信したシステム拡張情報に基づいて、専用チャネル通信に参入することを特徴とする。
【発明の効果】
【００１９】
本発明によれば、起動時又は通信圏外から通信圏内に入ると、専用チャネル通信があるか否かを判定し、専用チャネル通信がある場合には当該専用チャネル通信に参入する移動局装置としているので、起動時又は通信圏外から通信圏内に入ったときに、専用チャネル通信があれば自動で参入できる効果がある。
【００２０】
本発明によれば、専用チャネル通信から操作によって離脱した場合に、当該専用チャネル通信に再参入するタイマーのカウントをスタートし、当該タイマーのカウントが満了したときに、専用チャネル通信があるか否かを判定し、専用チャネル通信がある場合に、当該専用チャネル通信に参入する移動局装置としているので、専用チャネル通信から離脱して特定期間経過後に専用チャネル通信があれば自動で参入できる効果がある。
【００２１】
本発明によれば、時分割多元接続方式の無線通信を行い、上記移動局装置と、当該移動局装置と無線接続を行う基地局とを備え、基地局装置が、専用チャネル通信を識別する専用チャネル通信識別番号を含むシステム拡張情報を移動局装置に送信し、移動局装置が、基地局装置から受信したシステム拡張情報に基づいて、専用チャネル通信に参入する無線通信システムとしているので、専用チャネル通信に容易に自動参入できる効果がある。
【図面の簡単な説明】
【００２２】
【図１】本システムの概略図である。
【図２】本移動局装置の構成ブロック図である。
【図３】専用チャネルのスロット配置例を示す図である。
【図４】専用チャネル通信に自動参入する処理を示す状態遷移図である。
【図５】専用チャネル通信と制御チャネル待ち受けを同時に実施する処理を示す状態遷移図である。
【図６】従来の専用チャネルのスロット配置例を示す概略図である。
【発明を実施するための形態】
【００２３】
本発明の実施の形態について図面を参照しながら説明する。
［実施の形態の概要］
本発明の実施の形態に係る移動局装置（本移動局装置）は、時分割多元接続方式により、複数のスロットを通信チャネルと制御チャネルに割り当て、通信用チャネルの中から、専用チャネルを指定する通信方式を用い、起動時又は通信圏外から通信圏内に入ると、専用チャネル通信があるか否かを判定し、専用チャネル通信がある場合には当該専用チャネル通信に参入するものである。これにより、本移動局装置は、起動時又は通信圏外から通信圏内に入ったときに、専用チャネル通信があれば自動で参入できる。
【００２４】
また、本移動局装置は、時分割多元接続方式により、複数のスロットを通信チャネルと制御チャネルに割り当て、通信用チャネルの中から、専用チャネルを指定する通信方式を用い、専用チャネル通信から操作によって離脱した場合に、当該専用チャネル通信に再参入するタイマーのカウントをスタートし、当該タイマーのカウントが満了したときに、専用チャネル通信があるか否かを判定し、専用チャネル通信がある場合に、当該専用チャネル通信に参入するものである。これにより、本移動局装置は、専用チャネル通信から離脱して特定期間経過後に専用チャネル通信があれば自動で参入できる。
【００２５】
また、本発明の実施の形態に係る無線通信システム（本システム）は、本移動局装置と、本移動局装置と無線接続を行う基地局とを備え、基地局装置が、専用チャネル通信を識別する専用チャネル通信識別番号を含むシステム拡張情報を移動局装置に送信し、移動局装置が、基地局装置から受信したシステム拡張情報に基づいて、専用チャネル通信に参入するものとしているので、専用チャネル通信に容易に自動参入できるものである。
【００２６】
［本システム：図１］
本システムについて、図１を参照しながら説明する。図１は、本システムの概略図である。
本システムは、時分割多元接続方式を用いたデジタル無線通信システムであって、例えば、市町村向けの地域防災無線システム等に適用される。以下、地域防災無線システムを例に説明する。
本システムは、図１に示すように、基地局２を有する統制局１と、複数の移動局３と固定局４とを基本的に有している。
【００２７】
統制局１は、基地局２の機能を含んでおり、統制局１の統制台等１５から災害発生時の緊急通報等が基地局２を介して移動局３に伝達される。
基地局２は、回線制御装置１４を介して統制台等１５に有線接続する一方、電波の届く通信エリアを基地ゾーンとして形成し、複数の移動局３又は固定局４と無線接続する。
移動局３は、基地ゾーンで基地局２と無線接続する。また、移動局３同士で、直接通信（移動局間直接通信）できるようになっている。
【００２８】
本システムの各部について具体的に説明する。
［統制局１］
統制局１は、基地局２に有線接続する回線制御装置１４と、緊急通報等の発信を行う統制台等１５と、ＰＢＸ（Private Branch eXchange：構内交換機）１６と、イントラネット１７とを有している。
【００２９】
回線制御装置１４は、統制台等１５、ＰＢＸ１６、イントラネット１７と基地局２とを回線接続するものである。
統制台等１５は、統制台、ＦＡＸ（ファクシミリ）、データ伝送装置、サーバ等の総称で、これら装置が回線制御装置１４に接続される。
ＰＢＸ１６は、内線電話機に接続し、ＰＳＴＮ（Public Switched Telephone Network：公衆交換電話網）に接続する。
イントラネット１７は、統制局１の組織内のプライベートのネットワークである。
【００３０】
［基地局２］
基地局２は、送受信アンテナ１１と、送受信処理を行う無線装置１２と、通信制御を行い、回線制御装置１４に接続する制御装置１３とを有している。
基地局２において、例えば周波数（無線キャリア）Ｆ１の上りフレーム（送信フレーム）に載せられた、移動局３の送信データが受信される。
また、基地局２から移動局３への送信データは、例えば周波数（無線キャリア）Ｆ２の下りフレーム（受信フレーム）に載せられて送信される。
【００３１】
そして、上り下りのフレームは、複数のスロットから構成される。一例として、１フレームを４０ｍｓとし、１０ｍｓ毎に０番から３番のスロットが割り当てられる。専用チャネル通信を用いた統制局１から移動局３への緊急通報においては、下りフレームの特定スロットが専用チャネルとして割り当てられ、統制局１から移動局３への指令データは、当該特定スロットに載せられて移動局３に送信される。また、上りフレームの特定スロットが専用チャネルとして割り当てられ、移動局３から統制局１への音声データは、当該特定スロットに載せられて統制局１に送信される。なお、移動局３が送信処理と受信処理を時分割で切替える構成である場合、専用チャネル通信の上りフレームのスロットと、下りフレームのスロットと、は、送信処理と受信処理が同じタイミングにならないよう、互いに異なるスロット番号が割当てられる。
【００３２】
［移動局３］
移動局３は、利用者が所有する携帯機、車両に搭載される車載器を総称する。
移動局３は、上り（送信）フレームでデータを基地局２に送信し、下り（受信）フレームでデータを基地局２から受信する。
また、移動局３は、基地ゾーンの内外で、移動局３同士で移動局間直接通信を行うことができるようになっている。
【００３３】
［固定局４］
固定局４は、移動局３と同様の通信機器の構成を備えるものであるが、特定の場所に固定されたもので、スピーカ等により緊急通報等を音声出力するものとなっている。
【００３４】
［移動局装置：図２］
次に、本システムにおける移動局３の通信装置（本移動局装置）について図２を参照しながら説明する。図２は、本移動局装置の構成ブロック図である。
本移動局装置は、図２に示すように、送受信アンテナ２１と、切替器２２と、送信部２３と、受信部（１）２４ａと、受信部（２）２４ｂと、信号処理部（ＤＳＰ：Digital Signal Processor）２５と、制御部（ＣＰＵ：Central Processing Unit）２６と、音声符号化／復号化デバイス２７と、スピーカ２８と、レシーバ２９と、マイク３０と、ＰＴＴ（Push To Talk）３１と、外部記憶装置３２とを有している。
そして、制御部２６内には、記憶部２６ａと、再参入タイマー２６ｂを備えている。
【００３５】
送受信アンテナ２１は、上り下りの無線キャリアでの送受信を行い、更に移動局間直接通信の送受信も行う。
切替器２２は、送受信に応じて、送信部２３、受信部（１）２４ａ、受信部（２）２４ｂの内、いずれかの接続に切替える。
送信部２３は、マイク３０等で入力された音声等のデータを切替器２２に送信出力する。
受信部（１）２４ａは、切替器２２から入力された下りフレームのデータを受信し、信号処理部２５に出力する。
受信部（２）２４ｂは、移動局間直接通信で受信した音声データを受信して信号処理部２５に出力する。
【００３６】
信号処理部（ＤＳＰ）２５は、制御部２６からのデジタル信号を変調等の信号処理を行い、送信部２３に出力すると共に、受信部（１）（２）２４ａ，２４ｂからの信号を復調等の信号処理を行い、制御部２６に出力する。
【００３７】
制御部（ＣＰＵ）２６は、記憶部２６ａと再参入タイマー２６ｂを備えており、後述する図４，５の処理を実行するものである。
記憶部２６ａは、処理プログラム及び必要な情報を記憶しており、専用チャネル通信の識別番号を記憶するようにしてもよい。
再参入タイマー２６ｂは、図４の処理で使用されるもので、予め定められたカウント数が設定されており、専用チャネル通信を離脱するための操作をユーザから受けた場合に、カウントをスタートし、定められたカウント数が満了するまでカウントを行う。
【００３８】
音声符号化／復号化デバイス２７は、制御部２６からの音声データを復号化してスピーカ２８、レシーバ２９に出力し、マイク３０からの音声信号を音声符号化して音声データを制御部２６に出力する。
ＰＴＴ３１は、ボタンを押しているときにマイク３０からの音声信号が制御部２６に入力されるものである。
外部記憶装置３２は、必要なデータを記憶する記憶するもので、自動参入対象の専用チャネル通信の識別番号（専用チャネル通信識別番号）を記憶するようにしてもよい。
【００３９】
［専用チャネルのスロット配置例：図３］
次に、本システムでの専用チャネルのスロット配置例について図３を参照しながら説明する。図３は、専用チャネルのスロット配置例を示す図である。尚、図３では、専用チャネル（１）（２）という複数の専用チャネルがスロットに配置された例である。
専用チャネルのスロットは、図３に示すように、制御キャリアの送信（ＴＸ／上り）フレームでスロット０に専用チャネル（１）が、スロット１に通常チャネルが、スロット２に専用チャネル（２）が、スロット３に制御チャネル（Ｃch）が配置されている。
【００４０】
また、制御キャリアの受信（ＲＸ／下り）フレームでスロット０に専用チャネル（２）が、スロット１に制御チャネル（Ｃch）が、スロット２に専用チャネル（１）が、スロット３に通常チャネルが配置されている。
【００４１】
そして、専用チャネル（１）通信に参入している移動局装置は、スロット０で専用チャネル（１）の送信を行い、スロット１で制御チャネル（Ｃch）の受信を行い、スロット２で専用チャネル（１）の受信を行い、スロット３で制御チャネル（Ｃch）の送信を行う。
また、専用チャネル（２）通信に参入している移動局装置は、スロット０で専用チャネル（２）の受信を行い、スロット１で制御チャネル（Ｃch）の受信を行い、スロット２で専用チャネル（２）の送信を行い、スロット３で制御チャネル（Ｃch）の送信を行う。
【００４２】
［専用チャネル通信に自動参入する処理：図４］
次に、移動局装置が専用チャネル通信に自動参入する処理について図４を参照しながら説明する。図４は、専用チャネル通信に自動参入する処理を示す状態遷移図である。
移動局装置が、圏外の状態（Ｓ１）から圏内の状態（Ｓ２）になった場合、若しくは起動時に圏内の状態になった場合に、移動局装置の制御部２６は、制御キャリアの受信（ＲＸ）フレームのスロット１に含まれる制御チャネル（Ｃch）の情報により、専用チャネル通信が行われているか判定する。専用チャネル通信が現在行われている状態「専用チャネル通信あり」（Ｓ３）であれば、専用チャネル通信に入る（Ｓ４）。
【００４３】
移動局装置の制御部２６は、記憶部２６ａ又は外部記憶装置３２に記憶された専用チャネル通信識別番号と、制御チャネルで受信したシステム拡張情報に含まれる専用チャネル通信識別番号とを比較し、両番号が一致する場合に「専用チャネル通信あり」と判定し、一致しない場合、若しくはシステム拡張情報に専用チャネル通信識別番号が含まれていない場合には、「制御チャネル通信なし」と判定する。なお、記憶部２６ａ又は外部記憶装置３２に記憶された専用チャネル通信識別番号は、その移動局に予め割り当てられている専用チャネル通信の識別番号である。これにより、移動局３は、統制局からの通知やユーザ操作による指定がなくても、参入するべき専用チャネル通信の有無を判定することができる。
【００４４】
また、移動局装置が、圏内（Ｓ２）になった場合に、制御部２６は、制御キャリアの受信（ＲＸ）フレームのスロット１に含まれる制御チャネル（Ｃch）の情報により、専用チャネル通信が行われているか判定する。専用チャネル通信が現在行われていない状態「専用チャネル通信なし」（Ｓ５）であれば、待ち受け状態にする（Ｓ６）。
【００４５】
移動局装置が、専用チャネル通信の状態（Ｓ４）から専用チャネル通信終話（Ｓ７(1)）になった場合は、制御部２６は、待ち受け状態にする（Ｓ６）。
また、移動局装置が、専用チャネル通信の状態（Ｓ４）からユーザ操作によって離脱した場合（Ｓ７(2)）は、制御部２６は、再参入タイマー２６ｂをスタートさせて、待ち受け状態にする（Ｓ６）。
【００４６】
再参入タイマー２６ｂをスタートさせるのは、移動局装置が専用チャネル通信を自ら離脱したものの、依然、本システムにおいて専用チャネル通信は残っているため、特定の時間経過後にその専用チャネル通信に移動局装置を再参入させるためである。
【００４７】
移動局装置は、待ち受け状態（Ｓ６）で、個別通話などの発着信を行う（Ｓ８）と、個別通話などの状態（Ｓ９）となり、終話する（Ｓ１０）と待ち受け状態（Ｓ６）に戻る。
また、待ち受け状態（Ｓ６）で、移動局装置は、再参入タイマー２６ｂがタイムアウト（満了）になって、「専用チャネル通信あり」の場合（Ｓ１１(1)）には、専用チャネル通信に入る（Ｓ４）。尚、再参入タイマー２６ｂがタイムアウトになっても、「専用チャネル通信なし」の場合は、待ち受け状態（Ｓ６）に留まる。
また、待ち受け状態（Ｓ６）で、移動局装置が、専用チャネル通信を開始する（Ｓ１１(2)）と、専用チャネル通信に入る（Ｓ４）。
【００４８】
図４に示したように、移動局装置が圏外から圏内に入った場合等に、「専用チャネル通信あり」を判定し、「専用チャネル通信あり」の場合は、当該専用チャネル通信に参入し、ユーザの専用チャネル通信からの離脱によって再参入タイマー２６ｂがスタートし、タイムアウトの時点で「専用チャネル通信あり」を判定して、「専用チャネル通信あり」の場合は、当該専用チャネル通信に再参入するようにしているので、専用チャネル通信があれば、容易に自動参入できるものである。
【００４９】
［専用チャネル通信と制御チャネル待ち受けを同時に実施する処理：図５］
次に、専用チャネル通信と制御チャネル待ち受けを同時に実施する処理について図５を参照しながら説明する。図５は、専用チャネル通信と制御チャネル待ち受けを同時に実施する処理を示す状態遷移図である。
【００５０】
移動局装置が、圏外の状態（Ｓ１）から圏内の状態（Ｓ２）になった場合、若しくは起動時に圏内の状態になった場合に、制御部２６は、制御チャネルの情報により「専用チャネル通信あり」（Ｓ３）の場合は、専用チャネル通信に入り（Ｓ４）、「専用チャネル通信なし」（Ｓ５）の場合は、待ち受け状態にする（Ｓ６）。
尚、「専用チャネル通信あり」又は「専用チャネル通信なし」の判定は、図４で説明した通りである。
【００５１】
移動局装置は、専用チャネル通信（Ｓ４）中に、専用チャネル通信終話になる（Ｓ１２）と、待ち受け状態にする（Ｓ６）。
また、移動局装置は、専用チャネル通信（Ｓ４）中又は待ち受け状態（Ｓ６）に、制御キャリアの受信（ＲＸ）フレームのスロット１に含まれる通信チャネル（Ｓch）の情報により個別通話の発着信がある（Ｓ８，Ｓ１３）と、個別通話など（Ｓ９）に移行する。
【００５２】
具体的には、移動局装置は、制御キャリアの制御チャネルの情報で個別通話の呼出を検出すると、専用チャネル通信を離脱して当該個別通話に参入するものである。
ここでは、個別通話を例としたが、専用チャネル通信以外の通信の呼出を検出して、専用チャネル通信以外の通信に参入するものであってもよい。
【００５３】
移動局装置は、個別通話などの状態（Ｓ９）で、終話する（Ｓ１４）と、「専用チャネル通信あり」（Ｓ１５）の場合は、専用チャネル通信に入り（Ｓ４）、「専用チャネル通信なし」（Ｓ１６）の場合は、待ち受け状態にする（Ｓ６）。
更に、移動局装置は、待ち受け状態（Ｓ６）で、専用チャネル通信が開始される（Ｓ１７）と、専用チャネル通信に入る（Ｓ４）。
【００５４】
図５に示したように、専用チャネル通信中でも制御キャリアの制御チャネルの情報により専用チャネル通信以外の個別通話等からの呼出を検出すると、その呼出に応答するものであり、その個別通話等が終了すると、「専用チャネル通信あり」又は「専用チャネル通信なし」を判定し、「専用チャネル通信あり」の場合に、専用チャネル通信に再参入するようにしているので、専用チャネル通信中にそれ以外の通信の呼出に応答でき、更に当該通信の終了時に専用チャネル通信があれば、専用チャネル通信に自動参入できるものである。
【００５５】
［実施の形態の効果］
本移動局装置によれば、起動時又は通信圏外から通信圏内に入ると、専用チャネル通信があるか否かを判定し、専用チャネル通信がある場合には当該専用チャネル通信に参入するものとしているので、起動時又は通信圏外から通信圏内に入ったときに、専用チャネル通信があれば自動で参入できる効果がある。
【００５６】
また、本移動局装置によれば、専用チャネル通信から操作によって離脱した場合に、当該専用チャネル通信に再参入するタイマーのカウントをスタートし、当該タイマーのカウントが満了したときに、専用チャネル通信があるか否かを判定し、専用チャネル通信がある場合に、当該専用チャネル通信に参入するものとしているので、専用チャネル通信から離脱して特定期間経過後に専用チャネル通信があれば自動で参入できる効果がある。
【００５７】
また、本移動局装置によれば、専用チャネル通信中に制御キャリアの通信チャネルの情報により専用チャネル通信以外の個別通話等の通信からの呼出を検出すると、その呼出に応答するものとしているので、専用チャネル通信中にそれ以外の通信の呼出に応答できる効果がある。
【００５８】
また、本システムによれば、本移動局装置と、本移動局装置と無線接続を行う基地局とを備え、基地局装置が、専用チャネル通信を識別する専用チャネル通信識別番号を含むシステム拡張情報を移動局装置に送信し、移動局装置が、基地局装置から受信したシステム拡張情報に基づいて、専用チャネル通信に参入するものとしているので、専用チャネル通信に容易に自動参入できる効果がある。
【００５９】
また、本移動局装置によれば、専用チャネル通信の送信スロット、専用チャネル通信の受信スロット、制御チャネルの送信スロット、制御チャネルの受信スロット、がそれぞれ異なる時間のスロットに配置されている。この構成により、本移動局装置は、専用チャネル通信の送信、専用チャネル通信の受信、制御チャネルの送信、制御チャネルの受信、をそれぞれ時分割で処理できるため、専用チャネル通信中でも制御チャネル上の呼出に応答できる効果がある。
【産業上の利用可能性】
【００６０】
本発明は、起動時又は圏外から圏内に戻ったときに専用チャネル通信に自動参入できる、または、専用チャネル通信中の別の通信の呼出に応答できる移動局装置及び無線通信システム  に好適である。
【符号の説明】
【００６１】
１…統制局、  ２…基地局、  ３…移動局、  ４…固定局、  １１…送受信アンテナ、  １２…無線装置、  １３…制御装置、  １４…回線制御装置、  １５…統制台等、  １６…ＰＢＸ、  １７…イントラネット、  ２１…送受信アンテナ、  ２２…切替器、  ２３…送信部、  ２４ａ…受信部（１）、  ２４ｂ…受信部（２）、  ２５…信号処理部（ＤＳＰ）、  ２６…制御部（ＣＰＵ）、２６ａ…記憶部、  ２６ｂ…再参入タイマー、  ２７…音声符号化／復号化デバイス、  ２８…スピーカ、  ２９…レシーバ、  ３０…マイク、  ３１…ＰＴＴ（Push To Talk）、  ３２…外部記憶装置
【図１】
2020198486.tif 000003
【図２】
2020198486.tif 000004
【図３】
2020198486.tif 000005
【図４】
2020198486.tif 000006
【図５】
2020198486.tif 000007
【図６】
2020198486.tif 000008